(57)【要約】      （修正有）【課題】  特定構造のアルキレンジアミン類、その新しい製造法、及びそれを含有する組成物の提供。【解決手段】  水素と遷移金属触媒の存在下でＮ−（ポリヒドロキシアルキル）アルキルアミンと、ジニトリル、ジアルデヒド又はそのアセタール若しくはヘミアセタールを反応させて、Ｎ，Ｎ’−ジアルキル−Ｎ，Ｎ’−ビス（ポリヒドロキシアルキル）アルキレンジアミン類を製造する。該化合物は乳化剤、湿潤剤、発泡剤、レオロジー調整剤、分散剤などとして、洗剤、コーティング配合物、インク配合物、農業用配合物などに使用される。【選択図】      なし【特許請求の範囲】
【請求項１】
構造（Ｉ）、即ち、
【化１】
2006083365.tif 000034
による少なくとも１つの化合物であって、式中、ｘが１〜１２の整数であり；Ｒ1及びＲ2がそれぞれ独立して１−オクチル又は１−ブチルであり；並びにＲ3及びＲ4が、水素、α−Ｄ−グルコピラノシル、β−Ｄ−グルコピラノシル、及びβ−Ｄ−ガラクトピラノシルからなる群より独立して選択される、少なくとも１つの化合物を含む組成物。
【請求項２】
前記Ｒ1及びＲ2の両方が１−オクチルである、請求項１に記載の組成物。
【請求項３】
前記Ｒ1が１−オクチルであり、前記Ｒ2が１−ブチルである、請求項１に記載の組成物。
【請求項４】
前記少なくとも１つの化合物が、
（ａ）前記Ｒ1が１−ブチルであり、前記Ｒ2が１−オクチルである第１化合物と；
（ｂ）前記Ｒ1及びＲ2の両方が１−オクチルである第２化合物と；
を含み、前記組成物が、
（ｃ）前記Ｒ1及びＲ2の両方が１−ブチルである構造（Ｉ）による第３化合物
をさらに含み、該第２、第３及び第１化合物がそれぞれ約１：１：２のモル比である、請求項１に記載の組成物。
【請求項５】
前記ｘが２〜４の整数である、請求項１に記載の組成物。
【請求項６】
前記少なくとも１つの化合物が、Ｎ，Ｎ’−ジオクチル−Ｎ，Ｎ’−ビス（１−デオキシグルシチル）−１，２−ジアミノエタンである、請求項１に記載の組成物。
【請求項７】
前記少なくとも１つの化合物が、Ｎ−ブチル−Ｎ’−オクチル−Ｎ，Ｎ’−ビス（１−デオキシグルシチル）−１，２−ジアミノエタンである、請求項１に記載の組成物。
【請求項８】
構造（Ｉ）、即ち、
【化２】
2006083365.tif 000035
による少なくとも１つの化合物であって、式中、ｘが２〜６の整数であり；Ｒ1がメチル又はエチルであり；Ｒ2が１−ヘキシル又は１−オクチルであり；並びにＲ3及びＲ4の両方がＨである、少なくとも１つの化合物を含む組成物。
【請求項９】
構造（Ｉ）、即ち、
【化３】
2006083365.tif 000036
による少なくとも１つの化合物であって、式中、ｘが２〜６の整数であり；Ｒ1が（ＣＨ2）2ＯＣＨ3又は（ＣＨ2）3ＯＣＨ3であり；Ｒ2が１−ヘキシル又は１−オクチルであり；並びにＲ3及びＲ4の両方がＨである、少なくとも１つの化合物を含む組成物。
【請求項１０】
構造（Ｉ）、即ち、
【化４】
2006083365.tif 000037
（式中、ｘが１〜１２の整数であり；Ｒ1及びＲ2が、Ｃ３−Ｃ３０の直鎖アルキル、環状アルキル、分枝アルキル、アルケニル、アリール、アルキルアリール、アルコキシアルキル、及びジアルキルアミノアルキルからなる群より独立して選択され；並びにＲ3及びＲ4が、水素、α−Ｄ−グルコピラノシル、β−Ｄ−グルコピラノシル、及びβ−Ｄ−ガラクトピラノシルからなる群より独立して選択される）による化合物を作製する方法であって、
Ｎ−（ポリヒドロキシアルキル）アルキルアミンと、ジニトリル、ジアルデヒド又はそのアセタール若しくはヘミアセタールを接触させることを含み、この接触が、水素及び遷移金属触媒の存在下で行われる、上記化合物を作製する方法。
【請求項１１】
前記ジアルデヒド又はそのアセタール若しくはヘミアセタールがジアルデヒドである、請求項１０に記載の方法。
【請求項１２】
前記Ｒ1及びＲ2がそれぞれ独立して１−オクチル又は１−ブチルである、請求項１０に記載の方法。
【請求項１３】
前記Ｒ1及びＲ2の両方が１−オクチルである、請求項１２に記載の方法。
【請求項１４】
前記Ｒ1が１−オクチルであり、前記Ｒ2が１−ブチルである、請求項１２に記載の方法。
【請求項１５】
前記ｘが２〜４の整数である、請求項１０に記載の方法。
【請求項１６】
前記ｘが２であり、前記Ｒ3及びＲ4の両方が水素である、請求項１２に記載の方法。
【請求項１７】
前記化合物が、Ｎ，Ｎ’−ジブチル−Ｎ，Ｎ’−ビス（１−デオキシグルシチル）−１，２−ジアミノエタンである、請求項１０に記載の方法。
【請求項１８】
前記化合物が、Ｎ，Ｎ’−ジオクチル−Ｎ，Ｎ’−ビス（１−デオキシグルシチル）−１，２−ジアミノエタンである、請求項１０に記載の方法。
【請求項１９】
前記化合物が、Ｎ−ブチル−Ｎ’−オクチル−Ｎ，Ｎ’−ビス（１−デオキシグルシチル）−１，２−ジアミノエタンである、請求項１０に記載の方法。
【請求項２０】
前記化合物が、Ｎ，Ｎ’−ジヘキシル−Ｎ，Ｎ’−ビス（１−デオキシグルシチル）−１，２−ジアミノエタンである、請求項１０に記載の方法。
【請求項２１】
前記触媒が、鉄、コバルト、ニッケル、ルテニウム、ロジウム、パラジウム、オスミウム、イリジウム及び白金からなる群より選択される、請求項１０に記載の方法。
【請求項２２】
前記触媒が、ルテニウム、ロジウム、パラジウム及び白金からなる群より選択される、請求項１０に記載の方法。
【請求項２３】
前記触媒が、パラジウム又は白金である、請求項１０に記載の方法。
【請求項２４】
前記触媒が、カーボン上に担持される、請求項１０に記載の方法。
【請求項２５】
前記接触が、約５０℃〜約１７５℃の温度で実施される、請求項１０に記載の方法。
【請求項２６】
前記接触が、溶媒の存在下で実施される、請求項１０に記載の方法。
【請求項２７】
前記溶媒が、メタノール、エタノール、エチレングリコール、プロピレングリコール、水／メタノール混合物、水／エタノール混合物、又はこれらの任意の組み合わせを含む、請求項２６に記載の方法。
【請求項２８】
前記溶媒が、水／メタノール混合物を含む、請求項２６に記載の方法。
【請求項２９】
水と、合計で０．１〜９９ｗｔ％の、Ｎ，Ｎ’−ジアルキル−Ｎ，Ｎ’−ビス（ポリヒドロキシアルキル）アルキレンジアミン類以外のアニオン性界面活性剤、カチオン性界面活性剤、非イオン性界面活性剤、溶媒、及びアルカリ金属水酸化物からなる群より選択された１つ又は複数の成分とを含む硬質表面洗浄用配合物において、０．００１〜２５ｗｔ％の請求項１の組成物を該配合物中に含んでなる、上記硬質表面洗浄用配合物の改良物。
【請求項３０】
５〜９９．９ｗｔ％の水媒介性、水分散性又は水溶性樹脂と、合計で０．０１〜１０ｗｔ％の、Ｎ，Ｎ’−ジアルキル−Ｎ，Ｎ’−ビス（ポリヒドロキシアルキル）アルキレンジアミン類以外の界面活性剤、湿潤剤、流動剤、及び平滑剤からなる群より選択された１つ又は複数の他の添加剤とを含むコーティング配合物において、０．００１〜５ｗｔ％の請求項１の組成物を該配合物中に含んでなる、上記コーティング配合物の改良物。
【請求項３１】
１〜５０ｗｔ％の顔料と、５〜９９．９ｗｔ％の水媒介性、水分散性又は水溶性樹脂と、０．０１〜１０ｗｔ％のＮ，Ｎ’−ジアルキル−Ｎ，Ｎ’−ビス（ポリヒドロキシアルキル）アルキレンジアミン以外の界面活性剤又は湿潤剤と、合計で０．０１〜１０ｗｔ％の、加工助剤、消泡剤及び可溶化剤からなる群より選択された１つ又は複数の他の添加剤とを含むインク配合物において、０．００１〜５ｗｔ％の請求項１の組成物を該配合物中に含んでなる、上記インク配合物の改良物。
【請求項３２】
０．１〜５０ｗｔ％の農薬又は植物成長改質剤と、０．０１〜１０ｗｔ％のＮ，Ｎ’−ジアルキル−Ｎ，Ｎ’−ビス（ポリヒドロキシアルキル）アルキレンジアミン以外の界面活性剤又は湿潤剤とを含む農業用配合物において、０．００１〜５ｗｔ％の請求項１の組成物を該配合物中に含んでなる、上記農業用配合物の改良物。
【請求項３３】
０．０５〜１０ｗｔ％の水溶性膜形成巨大分子と、１〜２５ｗｔ％の水溶性のアルコール、グリコール又はポリオールと、０．０１〜２０ｗｔ％の水溶性の酸又はその塩と、３０〜９８．９３９ｗｔ％の水とを含む平版印刷用の湿し水配合物において、０．００１〜５ｗｔ％の請求項１の組成物を該配合物中に含んでなる、上記平版印刷用の湿し水配合物の改良物。
【請求項３４】
０．１〜３ｗｔ％のテトラメチルアンモニウムヒドロキシドと、９２．５〜９９．９ｗｔ％の水とを含むフォトレジスト現像剤配合物において、０．００１〜５ｗｔ％の請求項１の組成物を該配合物中に含んでなる、上記フォトレジスト現像剤配合物の改良物。
【請求項３５】
２．５〜１０ｗｔ％の乳化剤と、１０〜２５ｗｔ％のアルカノールアミンと、２〜１０ｗｔ％の有機一塩基酸と、１〜５ｗｔ％の殺生物剤と、４０〜８４．４９９ｗｔ％の水とを含む合成金属加工用流体配合物において、０．００１〜５ｗｔ％の請求項１の組成物を該配合物中に含んでなる、上記合成金属加工用流体配合物の改良物。
【請求項３６】
水と、５〜２０ｗｔ％のキレート剤とを含むすすぎ補助剤配合物において、０．００１〜４５ｗｔ％の請求項１の組成物を該配合物中に含んでなる、上記すすぎ補助剤配合物の改良物。
【請求項３７】
０．１〜５０ｗｔ％の１つ又は複数の洗剤界面活性剤と、２５〜６０ｗｔ％のビルダー又はコビルダーとを含む粉末洗濯用洗剤配合物において、０．００１〜１５ｗｔ％の請求項１の組成物を該配合物中に含んでなる、上記粉末洗濯用洗剤配合物の改良物。
【請求項３８】
０．１〜６５ｗｔ％の１つ又は複数の洗剤界面活性剤と、３〜３６ｗｔ％のビルダー又はコビルダーと、合計で０．１〜５ｗｔ％の、芳香剤及び染料からなる群より選択された１つ又は複数の他の添加剤と、合計で１〜７５ｗｔ％の、水及び他の溶媒からなる群より選択された１つ又は複数の他の添加剤とを含む水性液体洗濯用洗剤配合物において、０．００１〜３０ｗｔ％の請求項１の組成物を該配合物中に含んでなる、上記水性液体洗濯用洗剤配合物の改良物。
【請求項３９】
０．１〜４２ｗｔ％の１つ又は複数の洗剤界面活性剤と、２５〜６０ｗｔ％のビルダー又はコビルダーと、０．５〜５ｗｔ％の再汚染防止補助剤とを含む非水性洗濯用洗剤配合物において、０．００１〜３０ｗｔ％の請求項１の組成物を該配合物中に含んでなる、上記非水性洗濯用洗剤配合物の改良物。
【請求項４０】
水と、０．０１〜２ｗｔ％の再汚染防止補助剤とを含む産業用及び公共施設用洗濯用洗剤配合物において、０．００１〜２０ｗｔ％の請求項１の組成物を該配合物中に含んでなる、上記産業用及び公共施設用洗濯用洗剤配合物の改良物。
【請求項４１】
水と、０．１〜３０ｗｔ％のアニオン性界面活性剤とを含むシャンプー又は液体ボディウォッシュ配合物において、０．００１〜５ｗｔ％の請求項１の組成物を該配合物中に含んでなる、上記シャンプー又は液体ボディウォッシュ配合物の改良物。
【請求項４２】
水と、０．１〜１０ｗｔ％のＮ，Ｎ’−ジアルキル−Ｎ，Ｎ’−ビス（ポリヒドロキシアルキル）アルキレンジアミン以外の非イオン性界面活性剤とを含むヘアコンディショナー配合物において、０．００１〜１０ｗｔ％の請求項１の組成物を該配合物中に含んでなる、上記ヘアコンディショナー配合物の改良物。
【請求項４３】
水と、１〜３０ｗｔ％の日焼け止め剤とを含む水性日焼け止め配合物において、０．００１〜３０ｗｔ％の請求項１の組成物を該配合物中に含んでなる、上記水性日焼け止め配合物の改良物。
【請求項４４】
４０〜７５ｗｔ％の水と、合計で０．１〜２０ｗｔ％の、１つ又は複数の可溶化剤、ポリマー、オリゴマー又は機能性添加剤とを含むセメント混合配合物において、０．００１〜５ｗｔ％の請求項１の組成物を該配合物中に含んでなる、上記セメント混合配合物の改良物。
【発明の詳細な説明】
【技術分野】
【０００１】
本発明は、Ｎ，Ｎ’−ジアルキル−Ｎ，Ｎ’−ビス（ポリヒドロキシアルキル）アルキレンジアミン類、その新しい製造法、及び水ベース系において表面張力を低下させるためのその使用に関する。
【背景技術】
【０００２】
表面張力の低下は使用中の基材の濡れの向上を意味するため、水の表面張力を低下させる能力は、水ベース配合物の応用において非常に重要である。十分な濡れを必要とする水ベース組成物の例には、コーティング、インク、接着剤、平版印刷用の湿し水、洗浄用組成物、金属加工用流体、農業用配合物、電子機器洗浄用組成物、半導体処理用組成物、パーソナルケア製品、コンクリート混合物、繊維加工用配合物、並びに油田生産物、油及びガス回収用途がある。水ベース系における表面張力の低下は、界面活性剤を添加することによって一般に達成され、系の表面被覆率の向上、欠陥の減少及びより均一な分布をもたらす。系が静止している場合には平衡表面張力（ＥＳＴ）が重要であり、動的表面張力（ＤＳＴ）は、高速適用条件下で表面張力を低下させかつ濡れを与える界面活性剤の能力の尺度を提供する。
【０００３】
低使用レベルで低表面張力を達成する界面活性剤の能力、発泡性能に作用する能力、並びに効率的な乳化及び可溶化を提供する能力すべてが、当技術分野において十分認識されているように非常に産業的に重要である。一部の用途では、平衡表面張力の低下効率が重要であるが、他の用途では、平衡表面張力と動的表面張力両方の低下が必要な場合がある。
【０００４】
界面活性剤の発泡特性もまた、界面活性剤が適している用途を規定するのに役立つ場合があるため重要である。例えば、泡は、浮遊選鉱、洗浄及びパーソナルケアのような用途に望ましい場合がある。もう一方で、コーティング、グラフィックアート、及び接着剤用途においては、泡は、適用を複雑にして欠陥の形成をもたらす場合があるため望ましくない。このように、発泡特性は、重要な性能パラメータであることがしばしばである。
【発明の開示】
【発明が解決しようとする課題】
【０００５】
界面活性剤が使用される広く様々な用途、及び結果として生じる性能要件の変化によって、これら様々な性能の要求に適合した対応する多数の界面活性剤に関するニーズ、及びそれらを製造するための好適な方法に関するニーズが生じている。
【課題を解決するための手段】
【０００６】
１つの態様においては、本発明は、構造（Ｉ）、即ち、
【化１】
2006083365.tif 000002
による少なくとも１つの化合物であって、式中、ｘが１〜１２の整数であり；Ｒ1及びＲ2がそれぞれ独立して１−オクチル又は１−ブチルであり；並びにＲ3及びＲ4が、水素、α−Ｄ−グルコピラノシル、β−Ｄ−グルコピラノシル、及びβ−Ｄ−ガラクトピラノシルからなる群より独立して選択される、少なくとも１つの化合物を含む組成物である。
【０００７】
別の態様においては、本発明は、上記構造（Ｉ）による化合物であって、式中、ｘが２〜６の整数であり；Ｒ1がメチル又はエチルであり；Ｒ2が１−ヘキシル又は１−オクチルであり；並びにＲ3及びＲ4の両方がＨである、化合物を含む組成物である。
【０００８】
さらに別の態様においては、本発明は、上記構造（Ｉ）による化合物であって、式中、ｘが２〜６の整数であり；Ｒ1が（ＣＨ2）2ＯＣＨ3又は（ＣＨ2）3ＯＣＨ3であり；Ｒ2が１−ヘキシル又は１−オクチルであり；並びにＲ3及びＲ4の両方がＨである、化合物を含む組成物である。
【０００９】
さらに別の態様においては、本発明は、上記構造（Ｉ）による化合物であって、式中、ｘが１〜１２の整数であり；Ｒ1及びＲ2が、Ｃ３−Ｃ３０の直鎖アルキル、環状アルキル、分枝アルキル、アルケニル、アリール、アルキルアリール、アルコキシアルキル、及びジアルキルアミノアルキルからなる群より独立して選択され；並びにＲ3及びＲ4が、水素、α−Ｄ−グルコピラノシル、β−Ｄ−グルコピラノシル、及びβ−Ｄ−ガラクトピラノシルからなる群より独立して選択される、化合物を作製する方法である。この方法は、Ｎ−（ポリヒドロキシアルキル）アルキルアミンと、ジニトリル、ジアルデヒド又はそのアセタール若しくはヘミアセタールを接触させることを含む。この接触は、水素及び遷移金属触媒の存在下で行われる。
【発明を実施するための最良の形態】
【００１０】
［Ｎ，Ｎ’−ジアルキル−Ｎ，Ｎ’−ビス（ポリヒドロキシアルキル）アルキレンジアミン類］
本発明による組成物は、以下の構造（Ｉ）、即ち、
【化２】
2006083365.tif 000003
による少なくとも１つのＮ，Ｎ’−ジアルキル−Ｎ，Ｎ’−ビス（ポリヒドロキシアルキル）アルキレンジアミンを含む。
【００１１】
構造（Ｉ）において、ｘは１〜１２、典型的には２〜４の整数であり、Ｒ1及びＲ2は、Ｃ３−Ｃ３０の直鎖アルキル、環状アルキル、分枝アルキル、アルケニル、アリール、アルキルアリール、アルコキシアルキル、及びジアルキルアミノアルキルからなる群より独立して選択され、並びにＲ3及びＲ4は、水素、α−Ｄ−グルコピラノシル、β−Ｄ−グルコピラノシル、及びβ−Ｄ−ガラクトピラノシルからなる群より独立して選択される。
【００１２】
任意の種々のポリヒドロキシアルキル基を本発明による化合物に組み入れることができるが、それらは、最も典型的には、還元糖、例えば、グルコースの開鎖形態から得られる。それゆえ、説明を簡単にするため、これらの化合物は、下に記載されるように、Ｎ−（１−デオキシグルシチル）アルキルアミンとグリオキサールの反応に、遷移金属触媒と水素を用いた還元を組み合わせて得られるようなグルコース誘導体として本明細書で例示される。したがって、本発明によって作製される例示的なグルコース誘導化合物は、以下の構造、即ち、
【化３】
2006083365.tif 000004
を有し、式中、Ｒ1、Ｒ2及びｘは構造（Ｉ）に関して上で規定された通りであり、Ｒ3及びＲ4は両方とも水素である。
【００１３】
グリオキサール又は別のジアルデヒドが反応するＮ−（ポリヒドロキシアルキル）アルキルアミンは、ポリヒドロキシアルキル化合物、例えば、グルコース又は他の好適な単糖若しくは二糖を所望のアミンで還元アミノ化することにより調製することができる。これを行う１つの方法は、米国特許第５，４４９，７７０号の実施例１において示されており、そこでは、グルコースをＲ1−ＮＨ2（式中、Ｒ1は、例えば、メチルであることができる）と反応させて、以下の構造、即ち、
【化４】
2006083365.tif 000005
によるＮ−（ポリヒドロキシアルキル）アルキルアミン（式中、Ｒ3はＨである）を与えている。
【００１４】
Ｒ1の代わりにＲ2及びＲ3の代わりにＲ4を有する対応する化合物を同様に作製することができる。一般に、本発明によるＮ，Ｎ’−ジアルキル−Ｎ，Ｎ’−ビス（ポリヒドロキシアルキル）アルキレンジアミン類を作製するのに有用なＮ−（ポリヒドロキシアルキル）アルキルアミン類のポリヒドロキシアルキル基は、グルコース、フルクトース、マルトース、ラクトース、ガラクトース、マンノース、及びキシロースからなる還元糖の群の任意のものから得ることができる。典型的には、還元糖はアルドースであるが、ケトースも使用することができ、単糖と二糖の両方を使用することができ、二糖の好都合な供給源には、高デキストロースコーンシロップ、高フルクトースコーンシロップ、及び高マルトースコーンシロップがある。他の有用なポリヒドロキシアルキル基は、グリセルアルデヒドから得ることができる。１つの実施態様においては、ポリヒドロキシアルキル基はグルコースから得ることができ、即ち、この基は１−デオキシグルシチルである。
【００１５】
還元糖又は他のポリヒドロキシアルキル基前駆体が反応するアルキルアミンは、以下の式で表すことができる。
【化５】
2006083365.tif 000006
【００１６】
基Ｒは、３〜約３０個の炭素原子、典型的には約４〜約１８個の炭素原子、より典型的には約４〜約１４個の炭素原子を有する、直鎖、環状又は分枝のアルキル、アルコキシアルキル、ジアルキルアミノアルキル、アルケニル、アリール又はアルキルアリール基であることができる。第一アミンの例には、プロピルアミン、イソプロピルアミン、ｎ−ブチルアミン、イソブチルアミン、ｎ−ペンチルアミン、イソペンチルアミン、シクロペンチルアミン、ｎ−ヘキシルアミン、シクロヘキシルアミン、ｎ−ヘプチルアミン、ｎ−オクチルアミン、２−エチルヘキシルアミン、イソオクチルアミン、ｎ−デシルアミン、ｎ−ドデシルアミン、３−メトキシプロピルアミン、３−エトキシプロピルアミン、３−ｎ−プロポキシプロピルアミン、３−イソプロポキシプロピルアミン、３−ｎ−ヘキシルオキシプロピルアミン、３−イソヘキシルオキシプロピルアミン、３−［（２−エチル）ヘキシルオキシ］プロピルアミン、３−イソデシルオキシプロピルアミン、３−イソトリデシルオキシプロピルアミン、３−ドデシルオキシプロピルアミン、３−イソドデシルオキシプロピルアミン、３−テトラデシルオキシプロピルアミン、混合オクチルオキシ−デシルオキシプロピルアミン類（ウィスコンシン州、ミルトンのＴｏｍａｈ Ｐｒｏｄｕｃｔｓ社から入手できるＴｏｍａｈ ＰＡ−１２１４）、混合テトラデシルオキシ−ドデシルオキシプロピルアミン類（Ｔｏｍａｈ ＰＡ−１８１６）、混合ドデシルオキシ−テトラデシルオキシプロピルアミン類（Ｔｏｍａｈ ＰＡ−１６１８）、混合ドデシルオキシ−ペンタデシルオキシプロピルアミン類（Ｔｏｍａｈ ＰＡ−１９）、混合オクタデシルオキシ−ヘキサデシルオキシプロピルアミン類（Ｔｏｍａｈ ＰＡ−２２２０）、３−ジメチルアミノプロピルアミン、３−ジエチルアミノプロピルアミン、３−ジ−ｎ−ヘキシルプロピルアミン、ステアリルアミン、及び天然源から得られるアミン（例えば、ココアルキルアミン、オレイルアミン及び牛脂アミン）の混合物があるがそれらに限定されない。より好ましいアミンは、ブチルアミン、ｎ−ヘキシルアミン、ｎ−オクチルアミン、及びデシルアミンである。本明細書において用いられる場合には、「Ｎ−（１−デオキシグルシチル）アルキルアミン」及び「Ｎ−（ポリヒドロキシアルキル）アルキルアミン」という用語で用いられる「アルキルアミン」の意味は、単純アルキルアミンと置換アルキルアミンの両方を含み、その限定的でない例はこの段落の前の部分に記載されている。
【００１７】
化合物（Ｉ）の結合基（ＣＨ2）xは、ｘ＝１からｘ＝１２まで変化することができる。１つの特に好適な結合基は２−炭素単位（ｘ＝２）である。これは、所望のＮ−（ポリヒドロキシアルキル）アルキルアミン（類）をグリオキサールと反応させることによって最も典型的に得られるが、後で記載するように機能的等価物を使用することもできる。３−炭素結合基は、所望のＮ−（ポリヒドロキシアルキル）アルキルアミン（類）をマロンアルデヒドと反応させることによって得ることができ、一方、所望のＮ−（ポリヒドロキシアルキル）アルキルアミン（類）を２，５−ジメトキシテトラヒドロフランと反応させることによって、４−炭素結合基（ｘ＝４）を有する化合物（Ｉ）が得られる。
【００１８】
本発明の例示的な化合物（Ｉ）は、Ｎ，Ｎ’−ジブチル−Ｎ，Ｎ’−ビス（１−デオキシグルシチル）−１，２−ジアミノエタン；Ｎ，Ｎ’−ジヘキシル−Ｎ，Ｎ’−ビス（１−デオキシグルシチル）−１，２−ジアミノエタン；Ｎ，Ｎ’−ジオクチル−Ｎ，Ｎ’−ビス（１−デオキシグルシチル）−１，２−ジアミノエタン；及びＮ−ブチル−Ｎ’−オクチル−Ｎ，Ｎ’−ビス（１−デオキシグルシチル）−１，２−ジアミノエタンである。本発明による他の例示的な界面活性剤は、化合物（Ｉ）の混合物、例えば、Ｎ，Ｎ’−ジブチル−Ｎ，Ｎ’−ビス（１−デオキシグルシチル）−１，２−ジアミノエタン；Ｎ，Ｎ’−ジオクチル−Ｎ，Ｎ’−ビス（１−デオキシグルシチル）−１，２−ジアミノエタン；及びＮ−ブチル−Ｎ’−オクチル−Ｎ，Ｎ’−ビス（１−デオキシグルシチル）−１，２−ジアミノエタンの混合物、特には、これらのそれぞれおよそ１：１：２のモル混合物である。このような混合物は、次に記載される方法により、等モル量のＮ−オクチル−Ｄ−グルカミンとＮ−ブチル−Ｄ−グルカミンをグリオキサールと反応させることによって調製することができる。
【００１９】
［Ｎ，Ｎ’−ジアルキル−Ｎ，Ｎ’−ビス（ポリヒドロキシアルキル）アルキレンジアミン類の調製］
１つの例示的な調製手順においては、本発明による化合物は、典型的には溶媒の存在下において、好都合な反応速度を与えるほど十分高くかつ多量の副産物の形成を防ぐほど十分低い温度でＮ−（ポリヒドロキシアルキル）アルキルアミンをジアルデヒドと反応させることによって調製することができる。反応温度は、約５０℃〜約１７５℃、典型的には約５０℃〜約１５０℃の範囲、より典型的には約６０℃〜約１２５℃の範囲であることができる。最適条件は、反応器の構成、用いられる溶媒、及び他の変量に左右される。Ｎ−（ポリヒドロキシアルキル）アルキルアミン類は、Ｓｈｕｍａｔｅらの米国特許第５，４４９，７７０号明細書に記載されるような手順によって調製することができる。
【００２０】
対応する化合物（Ｉ）を形成するためのＮ−（ポリヒドロキシアルキル）アルキルアミン（類）とジアルデヒドの結合には、触媒と水素の存在が必要である。触媒は、典型的には鉄、コバルト、ニッケル、ルテニウム、ロジウム、パラジウム、オスミウム、イリジウム又は白金からなる群より選択される金属である。典型的には、触媒は、ルテニウム、ロジウム、パラジウム又は白金からなる群より選択され、より典型的にはパラジウム又は白金のいずれかである。生産性を最大にするため、触媒は担体上に典型的に分散される。このような担体は、有機物、例えば、カーボン又は無機物であることができる。無機物のクラスの担体の例には、アルミナ、シリカ、チタニア、マグネシア、ジルコニア、及びアルミノケイ酸塩がある。触媒のための好ましい担体はカーボンである。
【００２１】
水素圧は、約２５０ｐｓｉｇ〜１５００ｐｓｉｇ、典型的には約５００ｐｓｉｇ〜約１２５０ｐｓｉｇ、より典型的には約７５０ｐｓｉｇ〜約１１００ｐｓｉｇの範囲であることができる。この反応には種々の溶媒を使用することができる。好適な溶媒及び溶媒混合物の例には、メタノール、エタノール、エチレングリコール、プロピレングリコール、水／メタノール、水／エタノール、及びこれらの混合物があるがそれらに限定されない。最も好ましい溶媒の組み合わせは水／メタノールである。
【００２２】
ジアルデヒドの機能的等価物、例えば、ビス（ジメチルアセタール）化合物又はジニトリルを使用することもできる。したがって、例えば、グリオキサールビス（ジメチルアセタール）（又は他のアセタール、例えば、ジエチルなど）又は対応するヘミアセタール、又はシアンによって２−炭素結合基を与えることができ、一方、マロンアルデヒド、対応するビス（ジメチルアセタール）又はマロノニトリルによって３−炭素結合を与えることができる。
【００２３】
［界面活性剤性能］
構造（Ｉ）による化合物の性能特性は、ペンダントポリヒドロキシアルキル基の構造の適切な改質、ジアミン鎖の長さｘ、並びにジアミン上の置換基Ｒ1及びＲ2の選択によって特定の適用に関して最適化することができる。これら因子間の相互作用は複雑であるため、特定の適用に関するこれら変量の最適な組み合わせを見出すのに一定の日常的実験が必要とされる場合がある。これらの化合物は、乳化剤又は洗剤、湿潤剤、発泡剤、消泡剤、レオロジー調整剤又は結合性増粘剤、分散剤などとして有用な場合がある。したがって、これらは、例えば、コーティング、インク、接着剤、農業用配合物、湿し水、フォトレジスト剥離剤／現像剤、メソポーラス材料の型取り剤、石けん、シャンプー、他の洗浄用組成物などの用途、及びセメント混合配合物において使用を見出すことができる。これらの化合物はまた、油田用途、例えば、油回収、破壊プロセス、刺激プロセス、掘削作業、及びセメンチング作業の向上、並びに種々の湿式処理織物操作、例えば、繊維の染色、繊維精練、及びキヤー精錬において使用を見出すことができる。
【００２４】
本明細書で用いられる「水ベース」、「水媒介」、「水性」又は「水性媒体」という用語は、典型的には少なくとも１０ｗｔ％、より典型的には５０ｗｔ％、最も典型的には９５ｗｔ％の水を含む溶媒又は液体分散媒体を意味する。この媒体は本質的には水のみでもよい。
【００２５】
［Ｎ，Ｎ’−ジアルキル−Ｎ，Ｎ’−ビス（ポリヒドロキシアルキル）アルキレンジアミン類の使用］
本発明は、上で開示した構造（Ｉ）による界面活性剤の有効量を含む水性組成物であって、優れた濡れを与える組成物をさらに提供する。有機種及び／又は無機種を含有する場合のある水ベース組成物において十分な濡れを与えるのに適した有効量は、配合物の合計質量に基づいて、０．００１ｗｔ％〜４５ｗｔ％、典型的には０．００５ｗｔ％〜２５ｗｔ％、最も典型的には０．０１ｗｔ％〜１０ｗｔ％の範囲であることができる。最も有利な量は、系における泡及び濡れの寄与種に応じて用途ごとに変化する。本発明による構造（Ｉ）の化合物の限定的でない使用例を次に概説する。
【００２６】
本発明の界面活性剤を含む典型的な水ベースのコーティング配合物は、水性媒体中に３０〜８０％の固形分で以下の成分を含むことができる。
【００２７】
【表１】
2006083365.tif 000007
【００２８】
本発明の界面活性剤を含む典型的な水ベースのインク組成物は、水性媒体中に２０〜６０％の固形分で以下の成分を含むことができる。
【００２９】
【表２】
2006083365.tif 000008
【００３０】
本発明の界面活性剤を含む典型的な水ベースの農業用組成物は、水性媒体中に以下の成分を０．０１〜８０％で含むことができる。
【００３１】
【表３】
2006083365.tif 000009
【００３２】
本発明の界面活性剤を含む平版印刷用の典型的な湿し水組成物は、以下の成分を含むことができる。
【００３３】
【表４】
2006083365.tif 000010
【００３４】
本発明の界面活性剤を含む典型的な硬質表面洗浄剤は、以下の成分を含むことができる。
【００３５】
【表５】
2006083365.tif 000011
【００３６】
本発明の界面活性剤を含む典型的な水ベースのフォトレジスト現像剤又は電子機器洗浄用組成物は、以下の成分を含むことができる。
【００３７】
【表６】
2006083365.tif 000012
【００３８】
本発明の界面活性剤を含む典型的な金属加工用流体は、以下の成分を含むことができる。
【００３９】
【表７】
2006083365.tif 000013
【００４０】
パーソナルケア製品、家庭用及び産業用／公共施設用洗浄の市場の製品において、多くの異なる界面活性剤含有配合物が使用される。本発明による界面活性剤を、これらの任意の配合物に使用して１つ又は複数の利益を提供することができ、界面活性剤の具体的な使用はその構造に依存している。これらの市場で使用される典型的な配合物は、Ｌｏｕｉｓ Ｈｏ Ｔａｎ Ｔａｉの書籍、Ｆｏｒｍｕｌａｔｉｎｇ Ｄｅｔｅｒｇｅｎｔｓ ａｎｄ ｐｅｒｓｏｎａｌ Ｃａｒｅ Ｐｒｏｄｕｃｔｓ：Ａ Ｃｏｍｐｌｅｔｅ Ｇｕｉｄｅ ｔｏ Ｐｒｏｄｕｃｔ Ｄｅｖｅｌｏｐｍｅｎｔ（イリノイ州、シャンペーン：ＡＯＣＳ Ｐｒｅｓｓ、２０００）及び当業者に公知の他の書籍、文献、製品処方集などに記載されている。幾つかの代表的な配合物例が、本発明において例示として記載される。例えば、家庭用自動食器洗浄又は産業用及び公共施設用食器洗浄に使用されるすすぎ補助剤は、以下に記載される成分を有することができる。
【００４１】
【表８】
2006083365.tif 000014
【００４２】
【表９】
2006083365.tif 000015
【００４３】
【表１０】
2006083365.tif 000016
【００４４】
【表１１】
2006083365.tif 000017
【００４５】
【表１２】
2006083365.tif 000018
【００４６】
【表１３】
2006083365.tif 000019
【００４７】
【表１４】
2006083365.tif 000020
【００４８】
【表１５】
2006083365.tif 000021
【００４９】
［セメント混合配合物］
セメント混合物は、幾つかのタイプ、例えば、超可塑性、可塑性、加速性、硬化遅延性、空気連行性、耐水性、腐食抑制性、及び他のタイプのうち任意のものであることができる。このような混合物は、コンクリート、モルタルなどのようなセメント系製品の加工性、沈降特性及び最終特性（強度、不浸透性、耐久性、及び霜／凍結防止塩耐性など）を制御するのに使用される。混合物は、水溶液として通常提供され、配合中のある時点でセメント系に加えることができる。本発明の界面活性剤は、このような系で使用されると、濡れ、泡制御、流動性及び平滑性、水分の低減、腐食抑制、高イオン強度耐性、適合性、及び他の利点を提供することができる。
【００５０】
【表１６】
2006083365.tif 000022
【００５１】
本発明は、以下の例によりさらに例示されるが、これらは、本発明の方法及び組成物を例示するためのものであって、限定するものではない。
【実施例】
【００５２】
例１〜７は、触媒の存在下、高温高圧の水素で、１−デオキシ−１−（アルキルアミノ）−Ｄ−グルシトール又は１−デオキシ−１−（アルキルアミノ）−Ｄ−グルシトール類の混合物とグリオキサールをカップリングすることにより、本発明による化合物を調製する１つの特に好適な方法を例示する。この変換反応は以下の式で表される。
【化６】
2006083365.tif 000023
例示のため、Ｎ，Ｎ’−ジオクチル−Ｎ，Ｎ’−ビス（１−デオキシグルシチル）エチレンジアミンの調製が用いられる。
【００５３】
［例１〜７］
１−デオキシ−１−（オクチルアミノ）−Ｄ−グルシトール２．９３ｇ（０．０１モル）、４０％グリオキサール水溶液０．７０ｇ（０．００４８３モル；０．９６６当量）、５％パラジウム担持カーボン０．１４ｇ（乾燥質量ベース）及びメタノール３０ｇを、１００ｍｌのパールステンレス鋼反応器に充填した。反応器を閉じ、窒素と水素でパージし、水素で約６００ｐｓｉｇに加圧した。混合物を攪拌（１０００ｒｐｍ）しながら１２５℃に加熱し、水素で１０００ｐｓｉｇに加圧した。この温度で反応を維持し、水素の供給を調節して圧力を１０００ｐｓｉｇに維持した。１２時間後、混合物を室温まで冷却し、内部０．５μ焼結金属元素により濾過して反応器から生成物を回収した。トリメチルシリル化後、ガスクロマトグラフィ（ＧＣ）及びガスクロマトグラフィ／質量分析（ＧＣ−ＭＳ）を用いた生成物の分析により、それは、８５％のＮ，Ｎ’−ジオクチル−Ｎ，Ｎ’−ビス（１−デオキシグルシチル）−エチレンジアミン、６％のＮ−オクチル−Ｎ−（２−ヒドロキシエチル）−１−デオキシグルシチルアミン、２％の未変化１−デオキシ−１−（オクチルアミノ）−Ｄ−グルシトール、及び少量の副産物からなることが示された。さらにＮ，Ｎ’−ビス（１−デオキシグルシチル）アルキレンジアミン類を調製し、上記と同様の手順によって特性調査した。調製したＮ，Ｎ’−ビス（１−デオキシグルシチル）アルキレンジアミン類の一部とその名称を表１に示す。
【００５４】
［例８］
本例は、本発明の別の態様、α−Ｄ−グルコース以外の糖を使用して１−デオキシグルシチル以外の炭水化物基を有する界面活性剤を調製する能力を例示する。
【００５５】
例１〜７の手順に従ったが、先に使用した１−デオキシ−１−（アミノアルキル）グルシトールの代わりに１−デオキシ−１−（アミノオクチル）−Ｄ−マルチトール４．５５ｇ（０．０１モル）を用いた。結果として得られるジェミニ界面活性剤が高分子量であるため、トリメチルシリル化後のＧＣ又はＧＣ−ＭＳによる分析はうまくいかなかった。しかしながら、ＭＡＬＤ／Ｉ ＭＳによる分析により、所望のＮ，Ｎ’−ジオクチル−Ｎ，Ｎ’−ビス（デオキシマルチトール）−エチレンジアミンは、より少量のＮ−オクチル−Ｎ−（２−ヒドロキシエチル）−１−デオキシマルチトールとともに形成したことが示された。
【００５６】
【表１７】
2006083365.tif 000024
【００５７】
表１の注釈：
ａ）この生成物は例１の手順に従って作製したが、結合反応においてはアミン成分として１−デオキシ−１−（ブチルアミノ）−Ｄ−グルシトールと１−デオキシ−１−（オクチルアミノ）−Ｄ−グルシトールの等モル混合物を使用した。生成物は、モル比ベースで、Ｎ，Ｎ’−ジブチル−Ｎ，Ｎ’−ビス（１−デオキシグルシチル）エチレンジアミン、Ｎ，Ｎ’−ジオクチル−Ｎ，Ｎ’−ビス（１−デオキシグルシチル）エチレンジアミン、及びＮ−ブチル−Ｎ’−オクチル−Ｎ，Ｎ’−ビス（１−デオキシグルシチル）エチレンジアミンがそれぞれおよそ１：１：２の混合物からなっていた。３つのジアミン混合物は分離しなかったが、調製したときに特性調査し試験した。
【００５８】
［例９〜１３］
これらの例は、本発明の別の態様、結合基としてジニトリルを使用して本発明のジェミニ界面活性剤を調製する能力を例示する。この変換反応は以下の式で表される。
【化７】
2006083365.tif 000025
【００５９】
１−デオキシ−１−（メチルアミノ）−Ｄ−グルシトール８．１９ｇ（０．０４２モル；２．１当量）、アジポニトリル２．１６ｇ（０．０２モル；１．０当量）、５％パラジウム担持カーボン０．５２ｇ（乾燥質量ベース）及び２−プロパノール４０ｍｌを、１００ｍｌのパールステンレス鋼反応器に充填した。反応器を閉じ、窒素と水素でパージし、水素で約６００ｐｓｉｇに加圧した。混合物を攪拌（１０００ｒｐｍ）しながら１５０℃に加熱し、水素で１２５０ｐｓｉｇに加圧した。この温度で反応を維持し、水素の供給を調節して圧力を１２５０ｐｓｉｇに維持した。５時間後、混合物を室温まで冷却し、内部０．５μｍ焼結金属元素により濾過して反応器から生成物を回収した。トリメチルシリル化後、ＧＣ及びＧＣ−ＭＳを用いた生成物の分析により、それは、６２％のＮ，Ｎ’−ジメチル−Ｎ，Ｎ’−ビス（１−デオキシグルシチル）ヘキサメチレンジアミン、２％のＮ−メチル−Ｎ−（５−シアノペンチル）−１−デオキシグルシチルアミン、２９％の未変化１−デオキシ−１−（オクチルアミノ）−Ｄ−グルシトール、及び少量の副産物からなることが示された。さらにＮ，Ｎ’−ジアルキル−Ｎ，Ｎ’−ビス（１−デオキシグルシチル）アルキレンジアミン類を調製し、上記と同様の手順によって特性調査した。調製したＮ，Ｎ’−ジアルキル−Ｎ，Ｎ’−ビス（１−デオキシグルシチル）アルキレンジアミン類の一部とその名称を表２に示す。
【００６０】
【表１８】
2006083365.tif 000026
【００６１】
［例１４〜４０］
白金のウィルヘルミ・プレートを有するＫｒｕｓｓ Ｋ−１２表面張力計を用いて、定温循環浴により温度を２５±１℃に維持して平衡表面張力を測定した。報告される結果は、１０分間で１０回測定した測定値の平均（標準偏差が０．０１ｍＮ／ｍ未満）である。多くの例において、溶液が平衡に達するのに数時間を要した。この平衡表面張力データを、本発明による化合物のモノアミン類似体（即ち、Ｎ−アルキルグルカミン類）の平衡表面張力データとともに表３に示す。
【００６２】
【表１９】
2006083365.tif 000027
【００６３】
低い平衡表面張力値の実用的な利点には、配合物の表面張力を低下させる（その濡れ特性を向上させる）のに必要とされる界面活性剤がより少なく、エマルジョンを安定化させるのに必要とされる界面活性剤がより少ないということがある。表３に示すように、本発明による化合物は低い平衡表面張力値を示し、これによって所与の表面を濡らす配合物の能力を向上させることができる。
【００６４】
［例２１〜２７］
本発明の界面活性剤はまた、動的表面張力を効果的に低下させる。本発明の界面活性剤の蒸留水及び脱イオン水における溶液を調製した。それらの動的表面張力は、Ｌａｎｇｍｕｉｒ １９８６，２，４２８−４３２で記載されている最大泡圧法を用いて測定した。これらのデータを表４に与える。これらのデータは、高表面生成率による平衡に近い条件（０．１気泡／秒）又は動的条件（１０気泡／秒）での界面活性剤性能に関する情報を与える。実用的な意味において、高表面生成率は、噴霧若しくはローラー適用コーティングのような迅速なプロセス、高速印刷操作、又は農業用製品若しくは洗浄剤の迅速な適用に関連している。
【００６５】
【表２０】
2006083365.tif 000028
【００６６】
表４のデータは、本発明による界面活性剤化合物によって、幅広い動的表面張力の低下値を得ることができることを示している。そうして、強い（低気泡速度での例２４〜２６）及び中程度から低い（例２２）表面張力の低下を得ることができる。配合物と湿潤化される基材の適用形態（産業用コーティングのブラシ適用、産業用洗浄剤の噴霧適用、接着剤のローラー適用）に応じて、これらの界面活性剤により与えられる表面張力の低下値の範囲は、幾つかの商業的に有用な用途をカバーする。
【００６７】
［例２８〜３４］
表３の界面活性剤の発泡特性を、０．０１ｗｔ％及び０．１ｗｔ％の界面活性剤水溶液についてロスマイルス泡試験（Ａｍ．Ｓｏｃ．Ｆｏｒ Ｔｅｓｔｉｎｇ Ｍａｔｅｒｉａｌｓ，Ｍｅｔｈｏｄ Ｄ１１７３−５３，ペンシルバニア州，フィラデルフィア，１９５３）を若干変更したものを用いて評価した。本発明の界面活性剤並びにモノアミン類似体の泡データを表５に示す。
【００６８】
【表２１】
2006083365.tif 000029
【００６９】
本発明による化合物のモノアミン類似体について、疎水性長さの増加とともに、初期の泡高さが低下するか又は変化しないことを観察した（例２８、３０及び３２）。対照的に、本発明の化合物は、アルキル鎖長さの増加とともに、初期の泡高さと泡安定性が向上することを示した（例２９、３１、３３、及び３４）。このように、アミンに結合したアルキル基に依存して、ある範囲の泡性能を得ることができる。コーティング、インク及び接着剤のような用途では、少ない泡又は速やかに消える泡が必要とされるが、他の用途、例えば、洗浄、パーソナルケア、又は浮遊選鉱では、制御された量の泡が存在して持続することが必要とされる。それゆえ、本発明の界面活性剤は、広範囲の用途に関して有用であることができる。
【００７０】
［例３５］
幾つかのＮ，Ｎ’−ジアルキル−Ｎ，Ｎ’−ビス（１−デオキシグルシチル）エチレンジアミン類の水溶解度を比較して以下の結果を得た。
【００７１】
【表２２】
2006083365.tif 000030
【００７２】
化合物の比はモルベースである。１は可溶性であり３は混合物であるが、２の極端な不溶性は、混合物３の溶解性が低いことを主張する。対照実験（４）は、１と２の１：１モル混合物の水における溶解度を評価した。この混合物は、３と同じ数のブチル基とオクチル基を有していたが、Ｎ−ブチル−Ｎ’−オクチル−Ｎ，Ｎ’−ビス（１−デオキシグルシチル）エチレンジアミンを全く含有せず、水における溶解度がはるかに低かった。６２ｗｔ％で溶解が困難であり（８５〜９０℃で１時間以上の後にのみ）、より高濃度では不溶性であり、一方で、組成物３は、約０．２５ｗｔ％まで可溶性であり（示されず）、約０．２５〜０．５ｗｔ％で乳白色の外観を与え、その後、９０ｗｔ％を超えるレベルに対して可溶性であった。このような配合物の高い溶解度は、その濃縮溶液を扱うことができるため有用な場合があるが、他の高度に可溶性の組成物（１００％ＤＢＤＧＥＤＡ）よりも高い界面活性効率を有することが予測される。このように、約５〜１５ｗｔ％の組成物１を必要とする配合物は、同じ結果を達成するのに、約１ｗｔ％又はおそらくそれ以下の組成物３を必要とするのみであることができる。
【００７３】
同様の溶解度挙動が生じ得る他の組成物もまた、より短いアルキル基とより長い（任意選択で官能基化された）アルキル基の混合物を組み込むことができる。具体例を以下の構造及び表に示す。Ｒ1及びＲ2が異なる長さＬ１とＬ２（及び／又は異なる組成、例えば、官能基含量が異なる）である界面活性剤を使用する組成物は、２つのＬ１基、２つのＬ２基、及び１つのＬ１基と１つのＬ２基をそれぞれおよそ１：１：２の比で含有する化合物を有する混合物を組み込むことができる。例えば、上記組成物３では、Ｌ１がブチル、Ｌ２がオクチルである。このように、これらは、１：１：２混合物を形成するように分布した等モル量のＬ１とＬ２を全体として有することができ、それゆえ、複合Ｌ１／Ｌ２生成物の量は混合物の５０モル％を構成する。このような混合物は、等モル量のＬ１基とＬ２基を含有する反応混合物を用いることによって典型的に得られる。しかしながら、Ｌ１又はＬ２のいずれかがより多い反応混合物を使用することもでき、結果として、その成分の比率がより高く、Ｌ１とＬ２を１つずつ含有する分子が５０モル％未満である組成物が得られる。このような混合組成物も同様に本発明に従って意図され、例えば、１０モル％よりも多く５０モル％よりも少ない複合Ｌ１／Ｌ２分子、より典型的には２５モル％よりも多く５０モル％よりも少ない複合Ｌ１／Ｌ２分子を含有することができる。
【化８】
2006083365.tif 000031
【００７４】
【表２３】
2006083365.tif 000032
【００７５】
［例３６〜４１］
動的表面張力、平衡表面張力及び泡は、界面活性剤の洗浄能力に影響を与えるが、他の因子も同様に洗浄性能に影響を与える。したがって、界面活性剤の洗浄能力を決定するための１つの優れた方法は、基材に汚れを適用し、所定の界面活性剤と幾つかの基準の界面活性剤でこの基材を洗浄して、汚れ除去の割合の観点で相対的な洗浄効率を比較することである。このような試験を行うための１つの方法は、ＡＳＴＭ Ｄ４４８８−９５，「Ｓｔａｎｄａｒｄ Ｇｕｉｄｅ ｆｏｒ Ｔｅｓｔｉｎｇ Ｃｌｅａｎｉｎｇ Ｐｅｒｆｏｒｍａｎｃｅ ｏｆ Ｐｒｏｄｕｃｔｓ Ｉｎｔｅｎｄｅｄ ｆｏｒ Ｕｓｅ ｏｎ Ｒｅｓｉｌｉｅｎｔ Ｆｌｏｏｒｉｎｇ ａｎｄ Ｗａｓｈａｂｌｅ Ｗａｌｌｓ」に記載されている。微粒子及び油性汚染／ビニルタイル試験法に従ってこの方法を行い、洗浄性能は、洗浄前後の白色ビニル組成物タイルの平均反射率値（５つの指示値／タイル）を読み取ることによって評価した（表６）。反射率値が高くなるにつれて、界面活性剤の洗浄能力が良くなる。
【００７６】
本発明による界面活性剤の洗浄性能を、２つの基準の界面活性剤、Ｎｅｏｄｏｌ ２３−６．５（テキサス州、ヒューストンのＳｈｅｌｌ Ｃｈｅｍｉｃａｌから入手できる）及びＡＧ ６２０２（イリノイ州、マクックのＡｋｚｏ Ｎｏｂｅｌから入手できる）、それぞれアルコールエトキシレート及びアルキルポリグルコシド界面活性剤の洗浄性能と並べて比較した。界面活性剤なしでのスポンジ研磨の作用を示すため、ブランク試料（界面活性剤なし）との比較も行った。
【００７７】
【表２４】
2006083365.tif 000033
【００７８】
表６に示すように、本発明のすべての界面活性剤は、基準のアルキルポリグルコシドＡＧ ６２０２よりも高い汚れ除去％により優れた洗浄性能を示し、本発明の幾つかの界面活性剤は、基準製品Ｎｅｏｄｏｌ ２３−６．５の洗浄性能を上回った。
【００７９】
本発明による界面活性剤は、乳化剤、湿潤剤、発泡剤、消泡剤、レオロジー調整剤又は結合性増粘剤、分散剤などとして、特には洗剤として相当な有用性を見出すことができる。したがって、これらの化合物は、コーティング、インク、接着剤、農業用配合物、湿し水、フォトレジスト剥離剤／現像剤、メソポーラス材料の型取り剤、石けん、シャンプー、硬質表面洗浄、他の洗浄組成物などの用途、及びセメント混合配合物において有用である。これらの化合物はまた、油田用途、例えば、油回収、破壊プロセス、刺激プロセス、掘削作業、及びセメンチング作業の向上、並びに種々の湿式処理織物操作、例えば、繊維の染色、繊維精練、及びキヤー精錬において使用を見出すであろう。
【００８０】
本発明は、具体的な実施態様を参照して本明細書で例示されかつ説明されるが、特許請求の範囲は、これらの示された詳細に限定されるものではない。むしろ、これらの詳細において種々の変更が当業者によりなされることが期待され、これらの変更は、依然として特許請求の範囲の趣旨及び範囲内にあることができ、特許請求の範囲は、それに応じて解釈されるものである。
【外国語明細書】
2006083365000001.pdf